(57)【要約】【課題】  屋内の他の電気製品が出すノイズに影響されることなく、屋外のデータセンタとの間でデータ通信ができる電灯線通信装置及び電灯線通信システムを構築する。【解決手段】  電灯線通信用モデム１２と、屋内配電線１１が挿通された環状のフェライトコア１３ａとフェライトコア１３ａに巻回された導体線１３ｂとからなるカレントトランス１３とを備え、導体線１３ｂを電灯線通信用モデム１２の入力端に接続することで、屋内配電線１１で伝送される電灯線通信信号を導体線１３ｂに誘起させて電灯線通信信号を電灯線通信用モデム１２に入力した。【選択図】        図２
2006042290.tif 000002
【特許請求の範囲】
【請求項１】
電灯線通信用モデムと、屋内配電線が挿通された環状のフェライトコアと前記フェライトコアに巻回された導体線とからなるカレントトランスとを備え、前記導体線を前記電灯線通信用モデムに接続したことを特徴とする電灯線通信装置。
【請求項２】
前記導体線と前記電灯線通信用モデムとの間にコモンモードトランスを介挿したことを特徴とする請求項１に記載の電灯線通信装置。
【請求項３】
前記カレントトランスを複数設け、前記導体線同士を並列接続したことを特徴とする請求項１又は２に記載の電灯線通信装置。
【請求項４】
前記フェライトコアを二つに分割された２分割フェライトコアで構成したことを特徴とする請求項１又は２又は３に記載の電灯線通信装置。
【請求項５】
請求項１乃至４のいずれかに記載の電灯線通信装置と、屋内に配置された一対の屋内配電線と、前記電灯線通信用モデムに接続された情報処理端末装置とを備え、前記電灯線通信装置の前記フェライトコアに前記屋内配電線の一方を挿通したことを特徴とする電灯線通信システム。
【請求項６】
前記屋内配電線は屋内に設置された配電盤に接続されており、前記屋内配電線の一方を前記配電盤の直近の位置で前記フェライトコアに挿通したことを特徴とする請求項５に記載の電灯線通信システム。
【請求項７】
前記電灯線通信用モデムを前記情報処理端末装置内に設けたことを特徴とする請求項５又は６に記載の灯線通信システム。
【発明の詳細な説明】
【技術分野】
【０００１】
本発明は、電灯線を通信線路として使用する電灯線通信システムに関する。
【背景技術】
【０００２】
従来の電灯線通信システムを図６を参照して説明する。パソコン等の端末装置１は屋内のＡＣコンセントにＡＣプラグで接続することにより、電力を受けると共に、内蔵する電力通信インターフェース手段を用いてデータ通信を行う。電気製品２、電気製品３、電気製品４はそれぞれ電力線インターフェース手段対応であれば、端末装置１とデータ通信を行う。
【０００３】
屋外のデータセンターのデータはゲートウエイ５により電話線７と電力線８の双方を接続してデータ変換することで屋内の端末装置１に内蔵されるデータ蓄積手段との間で相互に利用することができる。図３の例では、電力線８を通じて電力を供給し、電話線７を経由してデータ通信を行う構成である（例えば、特許文献１参照。）。
【０００４】
【特許文献１】特開２００３−１１０４７３（図１）
【発明の開示】
【発明が解決しようとする課題】
【０００５】
上記の端末装置では電力通信インターフェースがＡＣプラグコードに接続されているので、端末装置を接続するＡＣコンセントが他の電気製品を接続するＡＣコンセントの近くにある場合では、他の電気製品が出すノイズ等が屋内配電線とＡＣプラグコードを介して端末装置内の電力通信インターフェース手段に入ってしまうという問題がある。
【０００６】
本発明は、屋内の他の電気製品が出すノイズに影響されることなく、屋外のデータセンタとの間でデータ通信ができる電灯線通信装置及び電灯線通信システムを構築することを目的とする。
【課題を解決するための手段】
【０００７】
上記課題を解決するため、本発明の電灯線通信装置は、電灯線通信用モデムと、屋内配電線が挿通された環状のフェライトコアと前記フェライトコアに巻回された導体線とからなるカレントトランスとを備え、前記導体線を前記電灯線通信用モデムに接続した。
【０００８】
また、本発明の電灯線通信装置は、前記導体線と前記電灯線通信用モデムとの間にコモンモードトランスを介挿した。
【０００９】
また、本発明の電灯線通信装置は、前記カレントトランスを複数設け、前記導体線同士を並列接続した。
【００１０】
また、本発明の電灯線通信装置は、前記フェライトコアを二つに分割された２分割フェライトコアで構成した。
【００１１】
また、本発明の電灯線通信システムは、請求項１乃至４のいずれかに記載の電灯線通信装置と、屋内に配置された一対の屋内配電線と、前記電灯線通信用モデムに接続された情報処理端末装置とを備え、前記電灯線通信装置の前記フェライトコアに前記屋内配電線の一方を挿通した。
【００１２】
また、本発明の電灯線通信システムは、前記屋内配電線は屋内に設置された配電盤に接続されており、前記屋内配電線の一方を前記配電盤の直近の位置で前記フェライトコアに挿通した。
【００１３】
また、本発明の電灯線通信システムは、前記電灯線通信用モデムを前記情報処理端末装置内に設けた。
【発明の効果】
【００１４】
請求項１に記載の電灯線通信装置は、電灯線通信用モデムと、屋内配電線が挿通された環状のフェライトコアとフェライトコアに巻回された導体線とからなるカレントトランスとを備え、導体線を電灯線通信用モデムに接続したので、ＡＣプラグコードを介すること無く屋内配電線を伝送する通信用信号を検出して電灯線通信用モデムに入力することができる。また、電灯線通信用モデムから出力される通信用信号を屋内配電線に重畳することもできる。
【００１５】
また、請求項２に記載の電灯線通信装置は、導体線と電灯線通信用モデムとの間にコモンモードトランスを介挿したので、カレントトランスを介して入力される電灯線からのノイズがコモンモードトランスによって除去され、モデムに入力されるのを防げる。逆に、モデムから出力される信号に重畳されたノイズが電灯線に漏洩することも防げる。
【００１６】
また、請求項３に記載の電灯線通信装置は、カレントトランスを複数設け、導体線同士を並列接続したので、大きな信号を検出し、重畳できる。
【００１７】
また、請求項４に記載の電灯線通信装置は、フェライトコアを二つに分割された２分割フェライトコアで構成したので、配線済みの屋内配電線をフェライトコアに挿通できる。
【００１８】
また、請求項５に記載の電灯線通信システムは、請求項１又は２又は３のいずれかに記載の電灯線通信装置と、屋内に配置された一対の屋内配電線と、電灯線通信用モデムに接続された情報処理端末装置とを備え、電灯線通信装置のフェライトコアに屋内配電線の一方を挿通したので、ＡＣコンセントから離れた位置でも屋内配電線と上方処理端末装置との間で通信が可能である。
【００１９】
また、請求項６に記載の電灯線通信システムは、屋内配電線は屋内に設置された配電盤に接続されており、屋内配電線の一方を配電盤の直近の位置でフェライトコアに挿通したので、ＡＣコンセントに接続された他の電気製品から出力されたノイズの影響を受けることなく電灯線通信ができる。
【００２０】
また、請求項７に記載の電灯線通信システムは、電灯線通信用モデムを情報処理端末装置内に設けたので、構成が簡素化できる。
【発明を実施するための最良の形態】
【００２１】
本発明の電灯線通信装置及び電灯線通信システムを図１乃至図３に従って説明する。屋内に設置された配電盤９には外部から電力線８は引き込まれ、屋内の各部屋に設けられたＡＣコンセント１０と配電盤９とは屋内配電線１１によって接続される。そして、ＡＣコンセント１０にはＡＣプラグコードによって電気製品４（電灯４ａ、エアコン４ｂ、冷蔵庫４ｃ等）が接続される。また、電灯線通信に使用されるパソコン等の情報処理端末装置（単に、端末装置と略称する）１もＡＣコンセント１０に接続される。これによって、端末装置１及び電気製品４には屋内配電線１１から電力が供給される。
【００２２】
また、屋内配電線１１にはＡＣコンセントから離れた位置、例えば配電盤９のごく近くの位置にカレントトランス１３が結合される。カレントトランス１３は図２に示すように、環状のフェライトコア１３ａとそれに巻回された導体線１３ｂとを有し、フェライトコア１３ａには一対の屋内配電線１１の一方の線が挿通される。そして、導体線１３ｂには端末装置１の通信用インターフェースとなるモデム１１２が接続される。この結果、導体線１３ｂには屋内配電線１１流れる通信用信号が誘起されるので、カレントトランス１３によって通信用信号が検出される。検出された通信用信号はモデム１２を介して端末装置１に入力される。なお、モデム１２を端末装置１内に組み込むことも可能である。
【００２３】
また、端末装置１から出力された信号は、モデム１２を介してカレントトランス１３に送られ、ここで、屋内配電線１１に重畳される。
【００２４】
なお、フェライトコア１３ａは図３に示すように、二つに分割された半円形のの２分割フェライトコア１３ａ１、１３ａ２によって構成し、それらを樹脂ケース１４ａ、１４ｂ内に収め、樹脂ケース１４ａ、１４ｂに係止手段（図示せず）を設けることで、２分割フェライトコア１３ａ１、１３ａ２の接合面を合わせるようにすれば、環状となったフェライトコア１３ａに屋内配電線１１を挿通することが容易である。
【００２５】
以上の構成では、端末装置１は電力を受けるＡＣプラグコードを介することなく、専用のカレントトランス１３を介して屋内配電線１１との間で信号の授受を行うようにし、カレントトランス１３をＡＣコンセント１０から離れた位置で屋内配電線１１に結合しているので、ＡＣコンセント１０に接続された他の電気製品４から出力されたノイズの影響を受けることなく電灯線通信ができる。
【００２６】
図４はカレントトランス１３を複数個使用して屋内配電線１１に結合した例を示す。
すなわち、複数のフェライトコア１３ａに巻回された導体線１３ｂを並列に接続し、各フェライトコア１３ａに屋内配電線を挿通することで、導体線１３ｂに大きな信号を誘起させることができる。
【００２７】
なお、図５に示すように、電灯線通信用モデム１２を、コモンモードトランス１４を介して導体線１３ｂに接続することで、例えば屋内配電線にノイズが重畳され、それがカレントトランス１３の導体線に現れても、コモンモードトランス１４によって除去されるので、電力線通信用モデム１２に入力されることを防げる。逆に、電力線通信用モデム１２側から屋内配電線側へのノイズの重畳も防ぐことが可能である。
【図面の簡単な説明】
【００２８】
【図１】本発明の電灯線通信装置及び電灯線通信システムの構成図である。
【図２】本発明の電灯線通信装置及び電灯線通信システムの具体的な接続関係を示す回路図である。
【図３】本発明の電灯線通信装置及び電灯線通信システムに使用するフェライトコアの構造図である。
【図４】本発明の電灯線通信装置及び電灯線通信システムに使用するカレントトランスの接続図である。
【図５】本発明の電灯線通信装置及び電灯線通信システムの第２の実施形態の構成図である。
【図６】従来の本発明の電灯線通信装置及び電灯線通信システムの構成図である。
【符号の説明】
【００２９】
１：情報処理端末装置
４：電気製品
８：電力線
９：配電盤
１０：ＡＣコンセント
１１：屋内配電線
１２：電灯線通信用モデム
１３：カレントトランス
１３ａ：フェライトコア
１３ｂ：導体線
１４：コモンモードトランス
【図１】
2006042290.tif 000003
【図２】
2006042290.tif 000004
【図３】
2006042290.tif 000005
【図４】
2006042290.tif 000006
【図５】
2006042290.tif 000007
【図６】
2006042290.tif 000008